(57)【要約】【課題】立体映像表示装置の誤動作を防止できると共に、立体視用眼鏡の動作も確保できる立体映像表示装置を提供する。【解決手段】立体視用眼鏡４０を使用して鑑賞される３Ｄ映像を表示すると共に、リモコン装置３０によって遠隔操作される立体映像表示装置１０である。リモコン装置からリモコンコードを赤外線で受信するコード受信部１５と、３Ｄ制御用信号を赤外線で立体視用眼鏡に送信する信号送信部１６と、信号送信部による３Ｄ制御用信号の送信時間を制御する信号制御部１８とを備える。信号制御部は、リモコンコードの信号の受信を検出したことに基づいて３Ｄ制御用信号の送信を停止させ、リモコンコードの信号の受信を検出してから所定時間が経過した場合、３Ｄ制御用信号の送信を開始させる。【選択図】図１
2015061254.tif 000002
【特許請求の範囲】
【請求項１】
立体視用眼鏡を使用して鑑賞される３Ｄ映像を表示すると共に、リモコン装置によって遠隔操作される立体映像表示装置であって、
前記リモコン装置からリモコンコードを赤外線で受信するコード受信部と、３Ｄ制御用信号を赤外線で前記立体視用眼鏡に送信する信号送信部と、前記信号送信部による前記３Ｄ制御用信号の送信時間を制御する信号制御部とを備え、
前記信号制御部は、前記リモコンコードの信号の受信を検出したことに基づいて前記３Ｄ制御用信号の送信を停止させ、前記リモコンコードの信号の受信を検出してから所定時間が経過した場合、前記３Ｄ制御用信号の送信を開始させることを特徴とする立体映像表示装置。
【請求項２】
請求項１に記載の立体映像表示装置であって、
前記信号制御部は、連続して出力される次回の前記リモコンコードの受信時刻を予測し、当該予測した受信時刻に到達した場合、前記３Ｄ制御用信号の送信を停止させることを特徴とする立体映像表示装置。
【請求項３】
請求項２に記載の立体映像表示装置であって、
前記信号制御部は、前記予測した受信時刻に到達した後、次回の前記リモコンコードの信号の受信を検出せずに所定時間が経過した場合、前記３Ｄ制御用信号の送信を開始させることを特徴とする立体映像表示装置。
【請求項４】
請求項２又は３に記載の立体映像表示装置であって、
前記信号制御部は、当初予測した受信時刻に到達する前に、前記リモコンコードの信号の受信を検出した場合、前記３Ｄ制御用信号の送信を停止させることを特徴とする立体映像表示装置。
【請求項５】
請求項１から４のいずれか１項に記載の立体映像表示装置であって、
前記信号制御部は、前記リモコンコードの信号の受信を検出してから所定時間が経過した場合、前記３Ｄ制御用信号の最低送信数を確保していることを特徴とする立体映像表示装置。
【発明の詳細な説明】
【技術分野】
【０００１】
本発明は、立体映像表示装置に関し、詳細には、立体視用眼鏡を使用して鑑賞される３Ｄ映像を表示すると共に、リモコン装置によって遠隔操作される立体映像表示装置に関する。
【背景技術】
【０００２】
近年、映画やテレビ番組の立体映像技術が普及している。立体映像の視聴には種々の方式があり、例えば、シャッター方式のレンズを有した立体視用眼鏡が知られている。立体映像表示装置の表示部では、右眼用の映像と左眼用の映像とを交互に表示し、同時に、立体視用眼鏡では、右眼のシャッターと左眼のシャッターとを交互に開閉する。右眼と左眼との間隔によって生ずる両眼視差を利用することにより、立体映像の視聴を実現している（アクティブシャッター方式とも言う）。
【０００３】
一方、リモコン装置は、種々の表示装置などに標準装備されており、遠く離れた場所から表示装置などを操作することができるが、立体視用眼鏡に送信される３Ｄ制御用信号（以下、３Ｄ−ＩＲと称する）やリモコン装置からのリモコンコードには、いずれも赤外線を利用するものが多く、干渉の懸念がある。
このため、例えば、特許文献１には、リモコン装置からのリモコンコードを受信するコード受信部と、３Ｄ−ＩＲを立体視用眼鏡に送信する信号送信部とを互いに離間した位置に設ける技術が開示され、また、特許文献２には、３Ｄ−ＩＲのパルス幅を決定するキャリア周波数や出力レベルを小さくする技術が開示されている。
【先行技術文献】
【特許文献】
【０００４】
【特許文献１】特開平８−３１７４２７号公報
【特許文献２】特開平８−３３６１６７号公報
【発明の概要】
【発明が解決しようとする課題】
【０００５】
しかしながら、特許文献１，２の技術では、いずれも３Ｄ−ＩＲの送信時間とリモコンコードの受信時間とが重なっている。例えば、コード受信部にはノイズを除去するためのフィルタが設けられており、３Ｄ−ＩＲが重畳されたリモコンコードの部分は、ノイズとして除去され、リモコンコードのパルス幅が細くなったり、パルスが抜けたりするように、リモコンコードが部分的に欠落してしまう。この結果、ユーザにはリモコン装置が効かないという印象を与え、また、立体映像表示装置を誤動作させる可能性があるという問題がある。
【０００６】
本発明は、上述のような実情に鑑みてなされたもので、立体映像表示装置の誤動作を防止できると共に、立体視用眼鏡の動作も確保できる立体映像表示装置を提供することを目的とする。
【課題を解決するための手段】
【０００７】
上記課題を解決するために、本発明の第１の技術手段は、立体視用眼鏡を使用して鑑賞される３Ｄ映像を表示すると共に、リモコン装置によって遠隔操作される立体映像表示装置であって、前記リモコン装置からリモコンコードを赤外線で受信するコード受信部と、３Ｄ制御用信号を赤外線で前記立体視用眼鏡に送信する信号送信部と、前記信号送信部による前記３Ｄ制御用信号の送信時間を制御する信号制御部とを備え、前記信号制御部は、前記リモコンコードの信号の受信を検出したことに基づいて前記３Ｄ制御用信号の送信を停止させ、前記リモコンコードの信号の受信を検出してから所定時間が経過した場合、前記３Ｄ制御用信号の送信を開始させることを特徴としたものである。
【０００８】
第２の技術手段は、第１の技術手段において、前記信号制御部は、連続して出力される次回の前記リモコンコードの受信時刻を予測し、当該予測した受信時刻に到達した場合、前記３Ｄ制御用信号の送信を停止させることを特徴としたものである。
【０００９】
第３の技術手段は、第２の技術手段において、前記信号制御部は、前記予測した受信時刻に到達した後、次回の前記リモコンコードの信号の受信を検出せずに所定時間が経過した場合、前記３Ｄ制御用信号の送信を開始させることを特徴としたものである。
【００１０】
第４の技術手段は、第２又は第３の技術手段において、前記信号制御部は、当初予測した受信時刻に到達する前に、前記リモコンコードの信号の受信を検出した場合、前記３Ｄ制御用信号の送信を停止させることを特徴としたものである。
【００１１】
第５の技術手段は、第１から第４のいずれか１の技術手段において、前記信号制御部は、前記リモコンコードの信号の受信を検出してから所定時間が経過した場合、前記３Ｄ制御用信号の最低送信数を確保していることを特徴としたものである。
【発明の効果】
【００１２】
本発明によれば、３Ｄ制御用信号の送信時間とリモコンコードの受信時間とが重ならないので、リモコンコードの欠落に伴う立体映像表示装置の誤動作を防止できると共に、立体視用眼鏡の動作も確保できる。また、コード受信部と信号送信部とを近接配置可能になるため、表示装置の省スペース化を達成でき、また、受信・送信感度も低下しない。
【図面の簡単な説明】
【００１３】
【図１】本発明の一実施形態による立体映像表示装置の概略構成を示す斜視図である。
【図２】本発明の一実施形態による立体映像表示装置のブロック図である。
【図３】第１実施例のリモコンコードを説明するための図である。
【図４】第１実施例のリモコンコードを用いた信号制御を説明するためのフローチャートである。
【図５】第１実施例のリモコンコードを用いた信号制御を説明するためのフローチャートである。
【図６】第１実施例のリモコンコードを用いた信号制御を説明するためのタイミングチャートである。
【図７】第１実施例のリモコンコードを用いた信号制御を説明するためのタイミングチャートである。
【図８】第２実施例のリモコンコードを説明するための図である。
【図９】第２実施例のリモコンコードを用いた信号制御を説明するためのフローチャートである。
【図１０】第２実施例のリモコンコードを用いた信号制御を説明するためのフローチャートである。
【図１１】第２実施例のリモコンコードを用いた信号制御を説明するためのフローチャートである。
【図１２】第２実施例のリモコンコードを用いた信号制御を説明するためのタイミングチャートである。
【発明を実施するための形態】
【００１４】
以下、図面を参照しながら本発明の立体映像表示装置について説明する。図１は、本発明の一実施形態による立体映像表示装置の概略構成を示す斜視図である。立体映像表示装置１０は、リモコン装置３０を使用したユーザに遠隔操作され、また、立体視用眼鏡４０を使用したユーザに３Ｄ映像を鑑賞させる。図２は、本発明の一実施形態による立体映像表示装置のブロック図であり、立体映像表示装置１０は、制御部１１、記憶部１２、映像制御部１３、表示部１４、コード受信部１５、信号送信部１６、デコード部１７、信号制御部１８等を有し、これらはバス１９を介して接続されている。
【００１５】
制御部１１は、コード受信部１５や信号送信部１６を介してリモコン装置３０や立体視用眼鏡４０と通信可能に構成されている。
制御部１１は、例えば、１あるいは複数個のＣＰＵ（Central Processing Unit）等からなり、記憶部１２の例えば、ＲＯＭに格納されている各種のプログラムやデータをＲＡＭにロードし、このロードしたＲＡＭ内のプログラムを実行する。これにより、データを処理しつつ、ユーザからの指示内容等に基づいて立体映像表示装置１０の全体の動作を制御する。
【００１６】
コード受信部１５は、赤外線通信部等を有し、リモコン装置３０から立体映像表示装置１０を遠隔操作するためのリモコンコードを赤外線で受信する。デコード部１７は、コード受信部１５からのリモコンコードをデコードして制御部１１に出力し、各命令が制御部１１から映像制御部１３等に伝えられる。映像制御部１３は、その図示は省略するが、デコード部１７に例えばシリアル通信で接続されるテレビ制御部、入力映像を処理する映像処理部、立体映像を制御する３Ｄ制御部、タイミングコントローラなどを有し、例えば、右眼用の映像と左眼用の映像とを交互に表示部１４に表示させる。
【００１７】
表示部１４は、例えば、液晶表示装置であり、液晶層やガラス基板などを有した矩形のＬＣＤ（Liquid Crystal Display）パネルや、ＬＥＤを導光板の側方に並べたエッジライト型で構成されたバックライト等を備えている。
また、映像制御部１３は、右眼用の映像と左眼用の映像に関する信号を信号制御部１８に出力しており、信号制御部１８は、立体視用眼鏡に送信される３Ｄ制御用信号（以下、３Ｄ−ＩＲと称する）を生成して信号送信部１６に出力する。
【００１８】
信号送信部１６は、赤外線通信部等を有し、生成された３Ｄ−ＩＲを赤外線のパルス信号によって立体視用眼鏡４０に送信する。なお、立体視用眼鏡４０からの信号を赤外線で受信する信号受信部を備えていてもよい。
３Ｄ−ＩＲは、例えば、パルス周期４０μｓｅｃ、１７パルス＝６８０μｓｅｃであり、この６８０μｓｅｃの幅で８．３３ｍｓｅｃ（１２０Ｈｚ）の間に２回（ｏｐｅｎ、ｃｌｏｓｅ）ずつ出力されており、４．１６ｍｓｅｃ毎に出力されている。
立体視用眼鏡４０は、例えば、シャッター方式のレンズを有し、右眼のシャッターと左眼のシャッターとを交互に開閉可能に構成され、立体視用眼鏡４０を使用したユーザに３Ｄ映像を鑑賞させる。
【００１９】
（実施例１）
図３は、第１実施例のリモコンコードを説明するための図であり、図３（Ａ）は、連続するリモコンコードを示し、図３（Ｂ）は、リモコンコードのリーダ信号を示している。
例えば、家電製品協会フォーマットによるリモコンコードは、データ無しのリーダ信号、４８ビットのデータ信号、信号終了を示すトレーラ信号、そして、赤外線を出力しないフレームスペースの順に構成されて１つのフレーム（１３５ｍｓｅｃ）をなしている。
【００２０】
図３（Ｂ）に示すように、リーダ信号は、８Ｔ（３３７６μｓｅｃ）のオン期間と４Ｔ（１６８８μｓｅｃ）のオフ期間とからなり、１２Ｔ（５０６４μｓｅｃ）の長さを有する信号で形成されている（パルス基本時間Ｔ＝４２２μｓｅｃ）。このリーダ信号の信号時間と３Ｄ−ＩＲの信号時間（６８０μｓｅｃ）とは異なるので、リーダ信号の検出によってリモコンコードの受信が分かる。
【００２１】
データ信号は、機器を識別するためのカスタムコードや機器を制御するためのデータコードなどで構成され、論理１の場合には１Ｔのオン期間と３Ｔのオフ期間とからなり、論理０の場合には１Ｔのオン期間と１Ｔのオフ期間とからなる。データ信号は、仮に、総て論理１の場合で考えると、１６８８μｓｅｃ（＝４Ｔ）×４８ビット（＝８１．０２４ｍｓｅｃ）の長さで形成される。また、トレーラ信号は、例えば、８ｍｓｅｃの長さである。
【００２２】
このため、無信号期間に相当するフレームスペースは、１３５−５．０６４−８１．０２４−８＝４０．９１２ｍｓｅｃになる。
一方、３Ｄ−ＩＲは、上記のように６８０μｓｅｃの幅で４．１６ｍｓｅｃ毎に出力されるので、無信号期間内に９個出力でき（４０．９１２／４．１６＝９．８３）、これを用いて立体視用眼鏡４０を同期させることが可能である。そして、信号制御部１８は、リモコンコードの信号の受信を検出したことに基づいて、信号送信部１６による３Ｄ−ＩＲの送信時間を制御している。
【００２３】
図４および図５は、第１実施例のリモコンコードを用いた信号制御を説明するためのフローチャートであり、図６および図７は、第１実施例のリモコンコードを用いた信号制御を説明するためのタイミングチャートである。
信号制御部１８は、リモコン装置３０からリモコンコードを受信したか否かを判定する。コード受信部１５でリモコンコードを受信した場合（図４のステップＳ１０１のＹＥＳ）、信号制御部１８は、立体視用眼鏡４０への３Ｄ−ＩＲの送信不許可を判定し、信号送信部１６による３Ｄ−ＩＲの出力を停止させる（ステップＳ１０２）。この場合、立体視用眼鏡４０は自走モードに切り替わる。
【００２４】
次に、信号制御部１８がリモコンコードのリーダ信号を受信したか否かを判定する。リーダ信号は、上記のように長いオン期間（８Ｔ程度）を有するので、容易に識別可能である。そして、リーダ信号の受信を検出できた場合（ステップＳ１０３のＹＥＳ）、デコード部１７がリモコンコードをデコードし、信号制御部１８はタイマを起動させる（ステップＳ１０４）。
【００２５】
続いて、信号制御部１８がデコード終了を判断し、例えば、リーダ信号の受信を検出してから所定時間が経過した場合（ステップＳ１０５のＹＥＳ）、立体視用眼鏡４０への３Ｄ−ＩＲの送信許可を判定し、信号送信部１６による３Ｄ−ＩＲの出力を開始させる（ステップＳ１０６）。詳しくは、リモコンコードは、リーダ信号からトレーラ信号までが９４．０８８ｍｓｅｃ（＝５．０６４＋８１．０２４＋８）の長さである。そこで、さらに３Ｄ−ＩＲの１個分（６８０μｓｅｃ）の余裕を設け、タイマ起動から例えば９５ｍｓｅｃ経過した場合、トレーラ信号の立ち下がりを検出できたと擬制している。なお、所定時間の経過判定に替えて、リモコンコードのトレーラ信号の受信終了を検出してもよい。
【００２６】
次いで、信号制御部１８が次回のリモコンコードのリーダ信号の受信を検出できたか否か（ステップＳ１０７）、および、リモコンコードの間隔の最小時間を経過したか否か（ステップＳ１０８）を判定している。詳しくは、記憶部１２には、リモコンコードが連続して出力される場合、リモコンコードの間隔の最小時間が記憶されており、次回のリモコンコードの受信時刻を予測している。この最小時間は、例えば、１３０ｍｓｅｃ（初期値）であり、この初期値は、１つのフレームの時間（１３５ｍｓｅｃ）からリーダ信号の時間（５．０６４ｍｓｅｃ）を除いた時間に相当する。また、記憶部１２には、後述のように、間隔の下限時間や間隔の最大時間も記憶されている。
【００２７】
そして、次のリーダ信号の受信を検出できないが（ステップＳ１０７のＮＯ）、間隔の最小時間が経過した場合（ステップＳ１０８のＹＥＳ）、信号制御部１８は、予測した受信時刻に到達したと判定し、信号送信部１６による３Ｄ−ＩＲの出力を停止させる（ステップＳ１０９）。これにより、立体視用眼鏡４０は自走モードに切り替わる。
ここで、上記間隔の最小時間の経過前に、次のリーダ信号の受信を検出できた場合（ステップＳ１０７のＹＥＳ、図５のステップＳ１１０のＹＥＳ）、今回のタイマ起動から次のリーダ信号の受信を検出するまでの時間（今回の最小時間という）が、記憶部１２に記憶されている時間（前回の最小時間という）よりも短いか否か（ステップＳ１１３）、および、今回の最小時間が間隔の下限時間を超えているか否か（ステップＳ１１４）を判定する。具体的には、間隔の下限時間とは、リーダ信号の受信を検出してから所定時間が経過した後に開始させた３Ｄ−ＩＲ、言い換えれば、ステップＳ１０６で開始させた３Ｄ−ＩＲの最低送信数を得るために設けた時間である。最低送信数を例えば４信号とすると、この４信号分の時間（４×６８０μｓｅｃ）および４信号分の３つの間隔（３×４．１６ｍｓｅｃ）に、リモコンコードの時間（９４．０８８ｍｓｅｃ）などを加えた時間に相当し、例えば、１１５ｍｓｅｃに設定されている。このように、３Ｄ−ＩＲの最低送信数を確保すれば、立体視用眼鏡の動作に確実に対応することができる。
【００２８】
今回の最小時間が前回の最小時間よりも短く（ステップＳ１１３のＹＥＳ）、間隔の下限時間よりも長い場合（ステップＳ１１４のＹＥＳ）、信号制御部１８は、今後のリモコンコード受信のために、記憶部１２に記憶していた前回の最小時間を今回の最小時間に更新し（ステップＳ１１５）、図４のステップＳ１０３に戻る。
一方、今回の最小時間が前回の最小時間よりも長い場合（ステップＳ１１３のＮＯ）、あるいは、間隔の下限時間よりも短い場合（ステップＳ１１４のＮＯ）、信号制御部１８は、前回の最小時間を保持し、今回の最小時間への更新を禁止して図４のステップＳ１０３に戻る。
【００２９】
これに対し、３Ｄ−ＩＲの出力を停止した状態において（図４のステップＳ１０９）、次のリーダ信号の受信を検出できず（図５のステップＳ１１０のＮＯ）、間隔の最大時間が経過した場合（ステップＳ１１１のＹＥＳ）、信号制御部１８は、次回のリモコンコードは来ないと判定し、信号送信部１６による３Ｄ−ＩＲの出力を開示させる（ステップＳ１１２）。なお、間隔の最大時間は、１つのフレームの時間（１３５ｍｓｅｃ）よりも長い時間として、例えば、１６０ｍｓｅｃに設定されている。
【００３０】
より具体的には、図６（Ａ），（Ｂ）や図７に示すように、時刻ｔ１でリモコンコードを受信すると、３Ｄ−ＩＲの出力を停止し（破線で示す）、タイマが起動する。続いて、このタイマ起動から例えば９５ｍｓｅｃ経過した場合（時刻ｔ２）、３Ｄ−ＩＲの出力を開始する（実線で示す）。
このように、３Ｄ−ＩＲの送信時間とリモコンコードの受信時間とが重ならないので、リモコンコードは欠落しない。よって、リモコンコードの欠落に伴う立体映像表示装置の誤動作を防止できると共に、立体視用眼鏡の動作も確保できる。また、コード受信部１５と信号送信部１６とを近接配置可能になるため、立体映像表示装置の省スペース化を達成できると共に、コード受信部と信号送信部とを離して配置する場合に比べて受信・送信感度も低下しない。
【００３１】
次いで、図６（Ａ）に示すように、時刻ｔ３で間隔の下限時間を超え、次回のリモコンコードを受信する前に間隔の最小時間が経過した場合（時刻ｔ４）、３Ｄ−ＩＲの出力を停止する（破線で示す）。このように、次回のリモコンコードの受信時刻を予測し、この予測した受信時刻で３Ｄ−ＩＲの送信を停止させるので、次回のリモコンコードを先頭から確実に検出可能になる。
【００３２】
その後、時刻ｔ５で次回のリモコンコードを受信すると、３Ｄ−ＩＲの出力を引き続き停止し、タイマが起動する。そして、このタイマ起動から例えば９５ｍｓｅｃ経過した場合、３Ｄ−ＩＲの出力を開始しているので（実線で示す）、３Ｄ−ＩＲの送信時間とリモコンコードの受信時間とは依然として重ならない。
一方、図６（Ｂ）に示すように、同じく時刻ｔ３で間隔の下限時間を超えているが、間隔の最小時間（時刻ｔ４）が経過する前に次回のリモコンコードを受信した場合（時刻ｔ５）、３Ｄ−ＩＲの出力を停止し（破線で示す）、タイマが起動する。今回の最小時間は、前回の最小時間よりも短いので、更新されている。このように、当初予測した受信時刻までに次回のリモコンコードを受信した場合には３Ｄ−ＩＲの送信を停止させるため、立体映像表示装置の誤動作防止および立体視用眼鏡の動作確保の両立を図ることができる。また、新たな受信時刻に更新すれば、その後のリモコンコードに速やかに対応できる。
【００３３】
さらに、図７に示すように、時刻ｔ４で間隔の最小時間が経過して３Ｄ−ＩＲの送信を停止させた後、時刻ｔ６で間隔の最大時間を超えても次回のリモコンコードを受信しない場合、３Ｄ−ＩＲの出力を開始する（実線で示す）。このように、予測した受信時刻で３Ｄ−ＩＲの送信を停止させても、次回のリモコンコードを受信しないと擬制された場合には３Ｄ−ＩＲの送信を開始させており、立体視用眼鏡の動作を速やかに確保することができる。
【００３４】
（実施例２）
図８は、第２実施例のリモコンコードを説明するための図である。図８（Ａ）は、連続するリモコンコードを示し、図８（Ｂ）は、リモコンコードに相当する表信号と裏信号の詳細を示しており、図８（Ｃ）は、各信号の論理１と論理０を示している。
例えば、海外向け家電製品のフォーマットによるリモコンコードは、例えば、１５ビットであり（なお、１２ビットの場合もある）、論理１の場合には、ｔ＝２６４μｓｅｃの幅でＴ＝２．１１ｍｓｅｃ毎に出力され、論理０の場合には、ｔ＝２６４μｓｅｃの幅でＴ／２＝１．０５ｍｓｅｃ毎に出力されている。
【００３５】
仮に、総て論理１の場合で考えると、リモコンコードは２．１１ｍｓｅｃ（＝Ｔ）×１５ビット（＝３１．６５ｍｓｅｃ）の長さで形成されている。また、当該リモコンコードは、上記のようなリーダ信号が存在せず、表信号Ｄ、フレームスペースの順に構成されて１つのフレーム（６７．５ｍｓｅｃ）をなし、続いて、裏信号ｄ、フレームスペースの順に構成されて１つのフレーム（６７．５ｍｓｅｃ）をなしている。
【００３６】
このため、無信号期間に相当するフレームスペースは、６７．５−３１．６５＝３５．８５ｍｓｅｃになる。
一方、３Ｄ−ＩＲは、上記のように６８０μｓｅｃの幅で４．１６ｍｓｅｃ毎に出力されるので、無信号期間内に８個出力でき（３５．８５／４．１６＝８．６２）、これを用いて立体視用眼鏡４０を同期させることが可能である。
【００３７】
図９から図１１は、第２実施例のリモコンコードを用いた信号制御を説明するためのフローチャートであり、図１２は、第２実施例のリモコンコードを用いた信号制御を説明するためのタイミングチャートである。
信号制御部１８は、リモコン装置３０からリモコンコードを受信したか否かを判定する。コード受信部１５でリモコンコードを受信した場合（図９のステップＳ２０１のＹＥＳ）、信号制御部１８は、信号送信部１６による３Ｄ−ＩＲの出力を停止させる（ステップＳ２０２）。これにより、立体視用眼鏡４０は自走モードに切り替わる。
【００３８】
次に、デコード部１７が表信号Ｄをデコードし、信号制御部１８は表信号Ｄ用のタイマ１を起動させる（ステップＳ２０３）。
続いて、表信号Ｄの受信を検出してから所定時間が経過した場合（ステップＳ２０４のＹＥＳ）、信号送信部１６による３Ｄ−ＩＲの出力を開始させる（ステップＳ２０５）。詳しくは、表信号Ｄや裏信号ｄによるリモコンコードは、上記のように最長でも１５Ｔ（＝３１．６５ｍｓｅｃ）の長さである。そこで、タイマ起動から例えば３２ｍｓｅｃ経過した場合、表信号Ｄや裏信号ｄの立ち下がりを検出できたと擬制している。
【００３９】
次いで、信号制御部１８が次回のリモコンコード、言い換えれば、裏信号ｄの受信を検出できたか否か（ステップＳ２０６）、および、間隔の最小時間を経過したか否か（ステップＳ２０７）を判定している。この最小時間は、例えば、６２．５ｍｓｅｃ（初期値）であり、１つのフレームの時間（６７．５ｍｓｅｃ）から所定時間（５ｍｓｅｃ程度）を除いた時間に相当する。なお、間隔の下限時間は、ステップＳ２０５で開始させた３Ｄ−ＩＲの最低送信数を得るために設けた時間である。最低送信数を例えば４信号とすると、この４信号分の時間（４×０．６８ｍｓｅｃ）および４信号分の３つの間隔（３×４．１６ｍｓｅｃ）に、リモコンコードの時間（３１．６５ｍｓｅｃ）などを加えた時間に相当し、例えば、５３ｍｓｅｃに設定されている。また、間隔の最大時間は、１つのフレームの時間（６７．５ｍｓｅｃ）よりも長い時間として、例えば、１００ｍｓｅｃに設定されている。
【００４０】
そして、裏信号ｄの受信を検出できないが（ステップＳ２０６のＮＯ）、間隔の最小時間が経過した場合（ステップＳ２０７のＹＥＳ）、信号制御部１８は、信号送信部１６による３Ｄ−ＩＲの出力を停止させる（ステップＳ２０８）。
ここで、上記間隔の最小時間の経過前に、裏信号ｄの受信を検出できた場合（ステップＳ２０６のＹＥＳ、図１０のステップＳ２０９のＹＥＳ）、デコード部１７が裏信号ｄをデコードし、信号制御部１８は、タイマ１の計測結果を記憶部１２に保存すると共に、裏信号ｄ用のタイマ２を起動させる（ステップＳ２１２）。
【００４１】
続いて、裏信号ｄの受信を検出してから所定時間が経過した場合（ステップＳ２１３のＹＥＳ）、信号送信部１６による３Ｄ−ＩＲの出力を開始させる（ステップＳ２１４）。
次いで、信号制御部１８が次回のリモコンコード、言い換えれば、表信号Ｄの受信を検出できたか否か（ステップＳ２１５）、および、間隔の最小時間を経過したか否か（ステップＳ２１６）を判定している。表信号Ｄの受信を検出できないが（ステップＳ２１５のＮＯ）、間隔の最小時間が経過した場合（ステップＳ２１６のＹＥＳ）、信号制御部１８は、信号送信部１６による３Ｄ−ＩＲの出力を停止させる（ステップＳ２１７）。
【００４２】
ここで、上記間隔の最小時間の経過前に、表信号Ｄの受信を検出できた場合（ステップＳ２１５のＹＥＳ、図１１のステップＳ２１８のＹＥＳ）、デコード部１７が表信号Ｄをデコードし、信号制御部１８は、タイマ２の計測結果を記憶部１２に保存すると共に、表信号Ｄ用のタイマ１を起動させる（ステップＳ２２１）。
続いて、信号制御部１８は、裏信号ｄおよび表信号Ｄの基準位置（例えば、６番目、１２番目、１４番目の各波形）を比較することにより、裏信号ｄと表信号Ｄとが一致するか否かを判定する（ステップＳ２２２）。なお、この表信号Ｄとは図１０のステップＳ２１５で受信されたものである。これは、本実施例のリモコンコードはリーダ信号が無いため、図９のステップＳ２０３で受信された表信号Ｄでは、その基準位置が分からない場合があるからである。但し、仮に、図９のステップＳ２０３で受信された表信号Ｄの基準位置が分かる場合、この表信号Ｄと次の裏信号ｄとが一致するか否かを判定してもよい。
【００４３】
裏信号ｄと表信号Ｄとが一致しなかった場合（ステップＳ２２２のＮＯ）、信号送信部１６による３Ｄ−ＩＲの出力停止を維持するために、ステップＳ２２１でデコードを開始した表信号Ｄの受信終了を判定できる所定時間（タイマ１の起動から例えば３２ｍｓｅｃ）が経過した後（ステップＳ２２３のＹＥＳ）、信号送信部１６による３Ｄ−ＩＲの出力を開始させる（ステップＳ２２０）。
【００４４】
一方、裏信号ｄと表信号Ｄとが一致した場合（ステップＳ２２２のＹＥＳ）、間隔の最小時間の更新に移行する。
詳しくは、今回のタイマ１起動から次の裏信号ｄの受信を検出するまでの時間、および今回のタイマ２起動から次の表信号Ｄの受信を検出するまでの時間（それぞれ今回の最小時間という）が、記憶部１２に記憶されている各時間（それぞれ前回の最小時間という）よりも短いか否か（ステップＳ２２４）、および、今回の最小時間が間隔の下限時間を超えているか否か（ステップＳ２２５）を判定する。
【００４５】
今回の最小時間が前回の最小時間よりも短く（ステップＳ２２４のＹＥＳ）、間隔の下限時間よりも長い場合（ステップＳ２２５のＹＥＳ）、且つ、表信号Ｄあるいは裏信号ｄのリモコンコードと３Ｄ−ＩＲとが重なっていない場合（ステップＳ２２６のＮＯ）、信号制御部１８は、前回の最小時間を今回の最小時間に更新し（ステップＳ２２７）、図９のステップＳ２０４に戻る。
【００４６】
一方、今回の最小時間が前回の最小時間よりも長い場合（ステップＳ２２４のＮＯ）、あるいは、間隔の下限時間よりも短い場合（ステップＳ２２５のＮＯ）、若しくは、表信号Ｄあるいは裏信号ｄのリモコンコードと３Ｄ−ＩＲとが重なっていた場合（ステップＳ２２６のＹＥＳ）、信号制御部１８は、前回の最小時間を保持し、今回の最小時間への更新を禁止して図９のステップＳ２０４に戻る。
【００４７】
これに対し、３Ｄ−ＩＲの出力を停止した状態において（図９のステップＳ２０８、図１０のステップＳ２１７）、裏信号ｄあるいは表信号Ｄの受信を検出できず（図１０のステップＳ２０９のＮＯ、図１１のステップＳ２１８のＮＯ）、間隔の最大時間が経過した場合（図１０のステップＳ２１０のＹＥＳ、図１１のステップＳ２１９のＹＥＳ）、信号制御部１８は、信号送信部１６による３Ｄ−ＩＲの出力を開示させる（図１０のステップＳ２１１、図１１のステップＳ２２０）。
【００４８】
これらをタイミングチャートでより具体的に説明すると、図６や図７において、リモコンコードの時間（３２ｍｓｅｃ）、間隔の最小時間（６２．５ｍｓｅｃ）や下限時間（５３ｍｓｅｃ）、最大時間（１００ｍｓｅｃ）をそれぞれ変更すれば、同じ波形で説明できる。
しかし、表信号Ｄや裏信号ｄのようなリモコンコードには、リーダ信号が無く、表信号Ｄや裏信号ｄであるかを識別できないことがあるので、３Ｄ−ＩＲで干渉されたリモコンコードのデコードを禁止している。具体的には、リモコンの一回押しで表信号Ｄ、裏信号ｄ、表信号Ｄのセットで出力されるが、まず、このセットの最初の表信号Ｄが干渉された場合、信号制御部１８は、この表信号Ｄの受信に伴って３Ｄ−ＩＲの送信を停止させ、デコード部１７は、その表信号Ｄをデコードしない。しかし、デコード部１７は、続く裏信号ｄおよび表信号Ｄをデコードするので、新たな受信時刻に更新可能である。
これに対し、最初の表信号Ｄに続く裏信号ｄが干渉された場合、信号制御部１８は、この裏信号ｄの受信に伴って３Ｄ−ＩＲの送信を停止させるものの、新たな受信時刻への更新は禁止している。
【００４９】
詳しくは、図１２に示すように、間隔の最小時間（時刻ｔ４）が経過する前に裏信号ｄに相当するリモコンコードを受信したが（時刻ｔ５）、この裏信号ｄの先頭が３Ｄ−ＩＲの幅で重なっていた場合、３Ｄ−ＩＲの出力を停止し（破線で示す）、タイマの起動も３Ｄ−ＩＲの幅分だけ遅延させてから開始する。そして、タイマが起動して例えば３２ｍｓｅｃ経過した場合、３Ｄ−ＩＲの出力を開始するものの（実線で示す）、デコード部１７はその裏信号ｄのみをデコードせず、信号制御部１８は前回の最小時間を保持する。なお、デコード部１７は、続く表信号Ｄについてはデコードを試みる。
【００５０】
以上、実施例について説明したが、本発明は、立体視用眼鏡を使用して鑑賞される３Ｄ映像を表示すると共に、リモコン装置によって遠隔操作される立体映像表示装置であって、前記リモコン装置からリモコンコードを赤外線で受信するコード受信部と、３Ｄ制御用信号を赤外線で前記立体視用眼鏡に送信する信号送信部と、前記信号送信部による前記３Ｄ制御用信号の送信時間を制御する信号制御部とを備え、前記信号制御部は、前記リモコンコードの信号の受信を検出したことに基づいて前記３Ｄ制御用信号の送信を停止させ、前記リモコンコードの信号の受信を検出してから所定時間が経過した場合、前記３Ｄ制御用信号の送信を開始させてもよい。この場合、３Ｄ制御用信号の送信時間とリモコンコードの受信時間とが重ならないので、リモコンコードの欠落に伴う立体映像表示装置の誤動作を防止できると共に、立体視用眼鏡の動作も確保できる。また、コード受信部と信号送信部とを近接配置可能になるため、表示装置の省スペース化を達成でき、また、受信・送信感度も低下しない。
【００５１】
また、前記信号制御部は、連続して出力される次回の前記リモコンコードの受信時刻を予測し、当該予測した受信時刻に到達した場合、前記３Ｄ制御用信号の送信を停止させる。このように、次回のリモコンコードの受信時刻を予測し、この予測した受信時刻で３Ｄ制御用信号の送信を停止させるので、次回のリモコンコードを先頭から確実に検出可能になる。
【００５２】
また、前記信号制御部は、前記予測した受信時刻に到達した後、次回の前記リモコンコードの信号の受信を検出せずに所定時間が経過した場合、前記３Ｄ制御用信号の送信を開始させる。この場合、予測した受信時刻で３Ｄ−ＩＲの送信を停止させても、次回のリモコンコードを受信しないと擬制された場合には３Ｄ制御用信号の送信を開始させており、立体視用眼鏡の動作を速やかに確保することができる。
【００５３】
また、前記信号制御部は、当初予測した受信時刻に到達する前に、前記リモコンコードの信号の受信を検出した場合、前記３Ｄ制御用信号の送信を停止させる。このように、予測した受信時刻までに次回のリモコンコードを受信した場合には３Ｄ制御用信号の送信を停止させるため、立体映像表示装置の誤動作防止および立体視用眼鏡の動作確保の両立を図ることができる。
【００５４】
また、前記信号制御部は、前記リモコンコードの信号の受信を検出してから所定時間が経過した場合、前記３Ｄ制御用信号の最低送信数を確保している。このように、３Ｄ制御用信号の最低送信数を確保するので、立体視用眼鏡の動作に確実に対応することができる。
【符号の説明】
【００５５】
１０…立体映像表示装置、１１…制御部、１２…記憶部、１３…映像制御部、１４…表示部、１５…コード受信部、１７…デコード部、１６…信号送信部、１８…信号制御部、１９…バス、３０…リモコン装置、４０…立体視用眼鏡。
【図１】
2015061254.tif 000003
【図２】
2015061254.tif 000004
【図３】
2015061254.tif 000005
【図４】
2015061254.tif 000006
【図５】
2015061254.tif 000007
【図６】
2015061254.tif 000008
【図７】
2015061254.tif 000009
【図８】
2015061254.tif 000010
【図９】
2015061254.tif 000011
【図１０】
2015061254.tif 000012
【図１１】
2015061254.tif 000013
【図１２】
2015061254.tif 000014